(57)【要約】【課題】  従来のパターは、ボールとパターを真上から見るという基本的な構え方が容易にはできなく、できても繰り返せなく課題だったのである。本発明は、ボールとパターを真上から見れるパターの提供を目的とするものである。【解決手段】  パター本体に、方向を指す方向指示部を上と下のの段に分けて位置させ、真上から見ないと一本のラインに見えないようにしたものである。又、凹曲面を設け、ボールとパターの位置関係を見やすくしたものである。【選択図】図１
2016073584.tif 000002
【特許請求の範囲】
【請求項１】
前端面にフェースを有しパター本体の上面に略矩形の突起部を備えたパターにおいて、前記突起部には、突起部上面部が山形で、頂上部のラインを前記フェースに直角で方向を指す上面方向指示部にし、フェース側端面には、ボールを中心にし、真上から見て同心円的に突起部上面部からフェース上面部までの垂直な山形凹曲面を縁取りで見易くさせながら設け、フェース上面部には、中心部に方向を指すフェースに直角な下面方向指示部を形成させ、真上から見ると、山形凹曲面が異形でない、ボールと同心円的な凹曲面になり、上面方向指示部と下面方向指示部の異なる平面の二本のラインが一本のラインに見えるように構成し、ボールとパターの中心ラインを、真上から見せて、合わせ易くしたものであるパター。
【発明の詳細な説明】
【技術分野】
【０００１】  本発明はパターに関するものである。更に詳しくは、パターの基本的な構え方であるボールとパターをセットする場合、真上から見ているという正確な垂直度を確認でき、更にボールをパターの中心に容易に合わせられるようにしたパターに関する。
【背景技術】
【０００２】  従来、方向性を示すための目印となる浅い溝（ａｒｒｏｗ３８）をパターの上面に設け、更に、フェースの反対側にボールの表面に合わせた曲面（ａｒｃｕａｔｅ２２）を形成し、あるいは、フェースの上面に新たなプレート（ｆｉｒｍｌｙ  ａｔｔａｃｈｅｄ  ｐｌａｔｅ３０）などを設け、ボールをパターに正確に位置決めできるパターが知られている（例えば文献１・Ｆｉｇ．２参照）。【０００３】  又、パター本体の上方にプレート部材を設け、このプレート部材の上面に凹設した溝による直線状ライン５０を設け、前述と同様にボールを正確に位置合わせするパターが知られている（例えばぶんけん２参照）。【０００４】  尚、特許文献１は、フェースの反対側に曲面（ａｒｃｕａｔｅ２２）を設けている（Ｆｉｇ２）ので、ボールの位置決めの確認はパターの反対側で行われる。従って、実際にフェースで行うパター動作時には、ボールの位置とフェースの位置を正確に位置決めすることができないものとなっている。
【先行技術文献】
【特許文献】
【０００５】
【特許文献１】米国特許第３３２８０３２号明細書
【特許文献２】特開２００６−２６３１６２号公報
【発明の概要】
【発明が解決しようとする課題】
【０００６】  従来のパターは、それぞれフェースに対してボールを正しく位置決めするために有効なもので、これによってパターの成功率が向上するものと考えられる。【０００７】  しかしながら、単にパターのフェースにボールを正確に位置決めするだけでパターの成功率が向上するわけではなく、成功率が向上するためにはこれに加えて、パターを真上から見て垂直に位置決め保持することが重要であることは多くのプレイヤーが経験している。【０００８】  しかしながら、前記先行技術の浅い溝（ａｒｒｏｗ３８）や直線状ライン５０は単なる目印（マーク）であり、パターのフェースにボールを正確に位置決めできることは記載されているが、パターを真上から見て垂直に保持することについては記載されていない。
従って前記従来のものではパターの成功率は望めないものとなっている。【０００９】  本発明は前記に着目し、パターのフェースにボールを正確に位置決めすること、パターを真上から見て垂直位置に正確に位置決めでき、パターの成功率を向上できるパターを提供することを目的としてなされたものである。
【課題を解決するための手段】
【００１０】  前記目的を達成するために、前端面にフェースを有しパター本体の上面に略矩形の突起部を備えたパターにおいて、前記突起部には、突起部上面部が山形で、頂上部のラインを前記フェースに直角で、方向を指す上面方向指示部にし、フェース側端面には、ボールを中心にし、真上から見て同心円的に、突起部上面部からフェース上面部までの垂直な山形凹曲面を縁取りで見易くさせながら設け、フェース上面部には、中心部に方向を指すフェースに直角な下面方向指示部を形成させ、真上から見ると、山形凹曲面が異形でない、ボールと同心円的な凹曲面になり、上面方向指示部と下面方向指示部の異なる平面の二本のラインが一本のラインに見えるように構成し、ボールとパターの中心を真上から見せて、合わせやすくしたパターにしたものである。
【発明の効果】
【００１１】  本発明は、パターのフェースにボールを正確に位置決めすること、パターを真上から見て垂直位置に正確に位置決めできるように構成したことにより、パターの成功率を向上することができる。
【図面の簡単な説明】
【００１２】
【図１】  本発明の実施形態を示すパターの平面図
【図２】  同パターの正面図
【図３】  同パターの右側面図
【図４】  同パターのＡ−Ａ断面視図
【発明を実施するための形態】
【００１３】  以下、本発明の実施の形態を図１乃至図４に基づいて説明する。
図において、１は、パター本体で、このパター本体１の上方部には略矩形状のの突起部２が、パター本体１の正面にはフェース３が設けられている。４は、突起部２の突起部上面部で、その頂上部に上面方向指示部５が設けられている。６は、フェース上面部で、突起部上面部４から、ボールＢを中心にし、真上から見て同心円的にした垂直な山形凹曲面７が凹曲を見やすくした縁取り８を伴なってあり、その中央部には方向を指す下面方向指示部９が設けられている。１０は、方向指示部や縁取りを見やすくした刻部で，Ｓはシャフトである。
【００１４】  前記構成において、パター本体１を真上から見ていることは、上面方向指示部５と下面方向指示部９が一本のラインに見えたときに測ることができる。すなわち、二つの方向指示部が異なった平面にあるため、真上から見たときでないと一本のラインにつながらないのであり、まさしく一本のラインに見えたときが真上から見た状態となるのである。
【００１５】  次に、フェース３にボールＢの中心を合わせる方法を説明する。
本実施例では、ボールＢを中心にして、真上から見て同心円的に突起部上面部４からフェース上面部６までの垂直な山形凹曲面７が機能している。
すなわち、山形凹曲面７とボールＢとの間隔が一定であればフェース３にボールＢが位置決めできているということである。この時、下面方向指示部９の矢印の先端は、ボールＢの中心を指しているのである。
【００１６】  又、本発明は、前記以外に、ボールＢとパター本体の中心が合っている状態を、常に眼の真下に位置調整ができ、構えている時の身体に対して、ボールとパターの位置が常に同一にできるのである。
これは、突起部２の突起部上面部４が山形で、フェース３側端面にある、ボールＢと同心円にした突起部上面部４からフェース上面部６までの垂直な縁取り８を有した山形凹曲面７が機能している。
すなわち、山形凹曲面７を形成している突起部上面部４が山形であるため、山形凹曲面７の縁取り８が平面ではなく、真上から見ただけではなく、眼の真下に位置しなければ、その縁取り８が円状に見えないのであり、その位置調整も容易にでき、常に、ボールとパターの位置を眼の真下に位置することができるものである。
【００１７】  このように、ボールＢがフェース３に接している状態においてストロークすることによって、パターの成功率が飛躍的に向上するものである。
【符号の説明】
【００１８】  １  パター本体
２  突起部
３  フェース
４  突起部上面部
５  上面方向指示部
６  フェース上面部
７  山形凹曲面
８  縁取り
９  下面方向指示部
１０  刻部
Ｂ  ボール
Ｓ  シャフト
【図１】
2016073584.tif 000003
【図２】
2016073584.tif 000004
【図３】
2016073584.tif 000005
【図４】
2016073584.tif 000006